(57)【要約】【課題】ドレン経路の凍結を防止でき、かつ消費電力を低減できる熱源機を提供する。【解決手段】熱源機は、燃焼ガスの潜熱を回収可能なものであって、バーナ２と、二次熱交換器５と、ドレン経路６と、温度検知部７と、ドレン経路加熱部８と、制御部９とを備えている。温度検知部７が所定温度以下の温度を検知したときであって、バーナ２が燃焼ガスを供給しているときに、制御部９がドレン経路６内にドレンが有ると判定した場合のみ、ドレン経路加熱部８がドレン経路６を加熱するように構成されている。【選択図】図１
2015129601.tif 000002
【特許請求の範囲】
【請求項１】
燃焼ガスの潜熱を回収可能な熱源機であって、
前記燃焼ガスを供給するためのバーナと、
前記バーナによって供給された前記燃焼ガスの潜熱を回収するための熱交換器と、
前記熱交換器で前記燃焼ガスの潜熱を回収することによって発生したドレンを前記熱源機外に排出するためのドレン経路と、
前記熱源機内の温度を測定するための温度検知部と、
前記ドレン経路を加熱するためのドレン経路加熱部と、
前記ドレン経路内のドレンの有無を判定するための制御部とを備え、
前記温度検知部が所定温度以下の温度を検知したときであって、前記バーナが燃焼ガスを供給しているときに、前記制御部が前記ドレン経路内にドレンが有ると判定した場合のみ、前記ドレン経路加熱部が前記ドレン経路を加熱するように構成されている、熱源機。
【請求項２】
前記制御部は、前記バーナの燃焼状態の有無によって前記ドレン経路内のドレンの有無を判定するように構成されている、請求項１に記載の熱源機。
【請求項３】
前記ドレン経路は、前記ドレンを中和するための中和器を含み、
前記ドレン経路加熱部は、前記熱交換器に対して前記中和器よりも前記ドレン経路の下流側に配置されている、請求項１または２に記載の熱源機。
【請求項４】
前記熱交換器で前記燃焼ガスと熱交換された湯水を前記熱源機外に供給するための前記給湯経路と、
前記給湯経路を加熱するためのヒータとをさらに備え、
前記温度検知部が所定温度以下の温度を検知したときに、前記ヒータが前記給湯経路を加熱するように構成されている、請求項１〜３のいずれか１項に記載の熱源機。
【発明の詳細な説明】
【技術分野】
【０００１】
本発明は、熱源機に関し、特に、燃焼ガスの潜熱を回収可能な熱源機に関するものである。
【背景技術】
【０００２】
熱源機の一例として、熱効率を高めるために、燃焼排気ガスの顕熱および潜熱（燃焼排気ガス中の水蒸気が保有している潜熱）を回収する熱交換器を備えたものが実用化されている。この潜熱回収可能な熱交換器を用いた場合、燃焼排気ガス中の水蒸気は潜熱を奪われることにより凝縮して結露するため、熱交換器に多量のドレン（結露水）が発生する。
【０００３】
この潜熱回収式熱源機では、気温等がドレン凍結のおそれのある所定温度以下になるとバーナの燃焼時であってもドレン経路内でドレンが凍結し、凍結したドレンがドレン経路を閉塞することがある。このため、潜熱回収式熱源機では、気温等が所定温度以下になると常にドレン経路加熱用のヒータを作動させてドレンの凍結防止を図っているものがある。
【０００４】
たとえば、特開平９−２６２９１号公報（特許文献１）には、気温等の温度が設定温度以下となった時に、ドレン容器に添設されたヒータを作動させる保温装置（熱源機）が開示されている。この保温装置では、凍結防止ルーチンは温水暖房システムの運転スイッチがオフのとき、オンのとき、またはオン・オフに関係なく実行されることが開示されている。
【先行技術文献】
【特許文献】
【０００５】
【特許文献１】特開平９−２６２９１号公報
【発明の概要】
【発明が解決しようとする課題】
【０００６】
ドレンはバーナの燃焼時に生じるため、バーナの燃焼時以外にはドレン経路が加熱されなくてもドレン凍結による問題は生じない。しかしながら、上記の保温装置では、凍結防止ルーチンは、運転スイッチがオフのとき、オンのとき、またはオン・オフに関係なく実行される。つまり、気温等が所定温度以下になると常にドレンを加熱するヒータが作動される。このため、バーナの燃焼時以外にもドレンを加熱するヒータが作動されるため、ドレンを加熱するヒータの消費電力が増大することで熱源機の消費電力が増大するという問題がある。
【０００７】
本発明は、上記の課題を鑑みてなされたものであり、その目的は、ドレンの凍結を防止でき、かつ消費電力を低減できる熱源機を提供することである。
【課題を解決するための手段】
【０００８】
本発明の熱源機は、燃焼ガスの潜熱を回収可能なものであって、バーナと、熱交換器と、ドレン経路と、温度検知部と、ドレン経路加熱部と、制御部とを備えている。バーナは燃焼ガスを供給するためのものである。熱交換器はバーナによって供給された燃焼ガスの潜熱を回収するためのものである。ドレン経路は熱交換器で燃焼ガスの潜熱を回収することによって発生したドレンを熱源機外に排出するためのものである。温度検知部は熱源機内の温度を測定するためのものである。ドレン経路加熱部はドレン経路を加熱するためのものである。制御部はドレン経路内のドレンの有無を判定するものである。温度検知部が所定温度以下の温度を検知したときであって、バーナが燃焼ガスを供給しているときに、制御部がドレン経路内にドレンが有ると判定した場合のみ、ドレン経路加熱部がドレン経路を加熱するように構成されている。
【０００９】
本発明の熱源機によれば、温度検知部が所定温度以下の温度を検知したときであって、バーナが燃焼ガスを供給しているときに、制御部がドレン経路内にドレンが有ると判定した場合のみ、ドレン経路加熱部がドレン経路を加熱するように構成されている。このため、ドレンが凍結するおそれのある所定温度以下の温度において、バーナの燃料時にドレンが生じている場合にのみ、ドレン経路加熱部がドレン経路を加熱することができる。これにより、ドレンの凍結を防止することができるとともに、ドレンが生じていない場合にはドレン経路加熱部でドレン経路を加熱しないようにしてドレン経路加熱部の消費電力を低減することで熱源機の消費電力を低減することができる。
【００１０】
上記の熱源機において、制御部は、バーナの燃焼状態の有無によってドレン経路内のドレンの有無を判定するように構成されている。バーナの燃焼時にドレンが生じるため、バーナの燃焼状態の有無によってドレン経路内のドレンの有無を判定することができる。したがって、ドレンの有無を判定するためのセンサ等を作動させる必要がないため、当該センサ等を作動させる場合に比べて熱源機の消費電力を低減することができる。
【００１１】
上記の熱源機において、ドレン経路は、ドレンを中和するための中和器を含んでいる。ドレン経路加熱部は、熱交換器に対して中和器よりもドレン経路の下流側に配置されている。ドレンは、熱交換器およびバーナなどから離れたドレン経路の下流側で凍結しやすく、ドレン排出口付近で特に凍結しやすい。このため、ドレン経路加熱部が熱交換器に対して中和器よりもドレン経路の下流側に配置されていることで、ドレン経路の凍結を効果的に防止できる。
【００１２】
上記の熱源機は、熱交換器で燃焼ガスと熱交換された湯水を熱源機外に供給するための給湯経路と、給湯経路を加熱するためのヒータとをさらに備えている。温度検知部が所定温度以下の温度を検知したときに、ヒータが給湯経路を加熱するように構成されている。熱源機の給湯経路には常時水が存在しているため、この水が凍結するおそれのある所定温度以下において常に給湯経路を加熱することが好ましい。この熱源機では、温度検知部が所定温度以下の温度を検知したときに、ヒータが給湯経路を加熱することで給湯経路内の水の凍結を防止することができる。したがって、ドレン経路とともに給湯経路の凍結を防止することができる。
【発明の効果】
【００１３】
以上説明したように、本発明によれば、ドレン経路の凍結を防止でき、かつ消費電力を低減できる。
【図面の簡単な説明】
【００１４】
【図１】本発明の一実施の形態における熱源機の構成を示す概略図である。
【図２】図１に示す制御部の構成を説明するための機能ブロック図である。
【図３】本発明の一実施の形態における熱源機のドレン経路の凍結防止動作を示すフロー図である。
【図４】本発明の一実施の形態における変形例１の熱源機の凍結防止動作を示すフロー図である。
【図５】本発明の一実施の形態における熱源機の給湯経路の凍結防止動作を示すフロー図である。
【図６】本発明の一実施の形態における変形例２の熱源機の構成を示す概略図である。
【図７】図６に示す制御部の構成を説明するための機能ブロック図である。
【図８】本発明の一実施の形態における変形例３の熱源機の構成を示す概略図である。
【図９】図８に示す制御部の構成を説明するための機能ブロック図である。
【図１０】本発明の一実施の形態における変形例４の熱源機の構成を示す概略図である。
【図１１】図１０に示す制御部の構成を説明するための機能ブロック図である。
【発明を実施するための形態】
【００１５】
以下、本発明の実施の形態について図に基づいて説明する。
まず、本発明の一実施の形態における熱源機の構成について説明する。
【００１６】
図１を参照して、本実施の形態の熱源機は、燃焼ガスの潜熱を回収可能な熱源機である。本実施の形態における熱源機は、筺体１と、バーナ２と、送風装置３と、一次熱交換器４と、二次熱交換器５と、ドレン経路６と、温度検知部７と、ドレン経路加熱部８と、制御部９と、給湯経路１０と、ヒータ１１とを主に有している。
【００１７】
筺体１は、底面（下面）１ａ、上面１ｂおよび側面１ｃと、図示しない前面および背面を有しており、かつこれらの面によって取り囲まれた内部空間を有している。この内部空間に、バーナ２、送風装置３、一次熱交換器４、二次熱交換器（熱交換器）５、ドレン経路６、温度検知部７、ドレン経路加熱部８、制御部９、給湯経路１０およびヒータ１１が収納されている。
【００１８】
バーナ２は、燃焼ガスを供給するためのものである。この燃焼ガスは、一次熱交換器４および二次熱交換器５との間で熱交換を行なうためのものである。バーナ２は、フレームロッド２ａを有している。このフレームロッド２ａは、火炎を検知することによりバーナ２の燃焼の有無を検知可能に構成されている。バーナ２は熱源機の高さ方向の中央部に配置されている。
【００１９】
送風装置３は、バーナ２に燃焼用の空気を供給するためのものである。送風装置３は、バーナ２よりも底面１ａ側（下方）に配置されている。また、送風装置３は、一次熱交換器４および二次熱交換器５よりも底面１ａ側に配置されている。送風装置３は具体的にはたとえばファンである。
【００２０】
一次熱交換器４は、バーナ２によって供給された燃焼ガスの顕熱を回収するためのものである。二次熱交換器５は、バーナ２によって供給された燃焼ガスの潜熱を回収するためのものである。一次熱交換器４と二次熱交換器５とは互いに接続されている。一次熱交換器４は二次熱交換器５の下方に配置されている。また、一次熱交換器４および二次熱交換器５は、バーナ２よりも上面１ｂ側（上方）に配置されている。一次熱交換器４および二次熱交換器５はそれぞれ被加熱流体を流通可能な伝熱管と、この伝熱管を収容可能なケースとを有している。
【００２１】
一次熱交換器４で熱交換した後の燃焼ガスが二次熱交換器５へ通されることで二次熱交換器４内の被加熱流体が予熱される。この過程で燃焼ガスの温度が６０℃程度まで下がることで、燃焼ガス中に含まれる水分が凝縮して潜熱が回収される。そして、燃焼ガスの潜熱が回収されることによってドレンが発生する。
【００２２】
ドレン経路６は、二次熱交換器５で燃焼ガスの潜熱を回収することによって発生したドレンを熱源機外に排出するためのものである。ドレン経路６は、ドレン受け６ａと、第１のドレン配管６ｂと、中和器６ｃと、第２のドレン配管６ｄと、ドレン排出口６ｅとを有している。ドレン経路６は、ドレン受け６ａで受けられたドレンが第１のドレン配管６ｂを通って中和器６ｃに送られ、中和器６ｃで中和された後に、第２のドレン配管６ｄを通ってドレン排出口６ｅから熱源機外に排出されるように構成されている。
【００２３】
ドレン受け６ａは二次熱交換器５の下方に配置されており、二次熱交換器５で生じたドレンを受けるように構成されている。このドレン受け６ａで受けられたドレンは排気ガス中の窒素酸化物などが溶け込んでいるため酸性となる。第１のドレン配管６ｂはドレン受け６ａと中和器６ｃとを接続している。したがって、酸性のドレンは、ドレン受け６ａから第１のドレン配管６ｂを通って中和器６ｃに供給される。中和器６ｃは酸性のドレンを中和するためのものであり、内部に中和剤が収容されている。第２のドレン配管６ｄは中和器６ｃとドレン排出口６ｅとを接続している。したがって、中和器６ｃの内部で中和剤によって中和されたドレンは、中和器６ｃから第２のドレン配管６ｄを通ってドレン排出口６ｅから熱源機外に排出される。なお、ドレン排出口６ｅは筺体１の底面１ａに配置されている。
【００２４】
温度検知部７は、筺体１内の温度を測定するためのものである。本実施の形態では、温度検知部７は底面１ａに設置されている。温度検知部７は筺体内の雰囲気温度を検知可能に構成されている。温度検知部７は具体的にはたとえばサーミスタである。
【００２５】
ドレン経路加熱部８は、ドレン経路６を加熱するためのものである。ドレン経路加熱部８は、ドレン経路６に直接接続されてドレン経路６を直接加熱するように構成されていてもよい。またドレン経路加熱部８は、ドレン経路６から離れて配置されて、熱が空気を伝わることでドレン経路６を加熱するように構成されていてもよい。ドレン経路加熱部８はたとえば電熱線からなるヒータを用いることができる。本実施の形態では、ドレン経路加熱部８は、二次熱交換器５に対して中和器６ｃよりもドレン経路６の下流側に配置されている。具体的には、ドレン経路加熱部８は、ドレン排出口６ｅの近傍の第２のドレン配管６ｄに接続されている。
【００２６】
制御部９はドレン経路６内のドレンの有無を判定するためのものである。制御部９は、バーナ２、温度検知部７、ドレン経路加熱部８および後述するヒータ１１の各々に電気的に接続されている。制御部９は、温度検知部７からの温度およびバーナ２からの燃焼状態に基づいてドレン経路加熱部８を作動させるように構成されている。したがって、温度検知部７が所定温度以下の温度を検知したときであって、バーナ２が燃焼ガスを供給しているときに、制御部９がドレン経路６内にドレンが有ると判定した場合のみ、ドレン経路加熱部８がドレン経路を加熱するように構成されている。また、制御部９は、バーナ２の燃焼状態の有無によってドレン経路６内のドレンの有無を判定するように構成されている。
【００２７】
給湯経路１０は、一次熱交換器４および二次熱交換器５で燃焼ガスと熱交換された湯水を熱源機外に供給するためのものである。給湯経路１０は、給水配管１０ａと、給湯配管１０ｂと、入水口１０ｃと、出湯口１０ｄとを有している。給湯経路１０は、一次熱交換器４と入水口１０ｃとを接続している。給水配管１０ａは、入水口１０ｃから二次熱交換器５に被加熱流体である水を給水可能に構成されている。給湯配管１０ｂは、一次熱交換器４と出湯口１０ｄとを接続している。給湯配管１０ｂは、一次熱交換器４から出湯口１０ｄに一次熱交換器４および二次熱交換器５で温められた温水を給湯可能に構成されている。これにより、入水口１０ｃから給水された水は、二次熱交換器５および一次熱交換器４を通過する際に燃焼ガスによって加熱されて出湯口１０ｄから給湯される。
【００２８】
ヒータ１１は、給湯経路１０を加熱するためのものである。ヒータ１１は、給湯経路１０に直接接続されて給湯経路１０を直接加熱するように構成されていてもよい。またヒータ１１は、給湯経路１０から離れて配置されて、熱が空気を伝わることで給湯経路１０を加熱するように構成されていてもよい。ヒータ１１はたとえば電熱線を用いることができる。本実施の形態では、ヒータ１１は、出湯口１０ｄの近傍の給湯配管１０ｂに接続されている。
【００２９】
図２を参照して、制御部９は、制御手段９ａと、燃焼判定手段９ｂと、温度判定手段９ｃと、タイマ９ｄとを主に有している。制御手段９ａは、燃焼判定手段９ｂと、温度判定手段９ｃとからの判定結果およびタイマ９ｄからの信号に基づいて、バーナ２、温度検知部７、ドレン経路加熱部８、ヒータ１１の動作を制御可能に構成されている。
【００３０】
燃焼判定手段９ｂは、バーナ２の燃焼状態または非燃焼状態を判定するためのものである。温度判定手段９ｃは、温度検知部７の温度を受けて、筺体１内の雰囲気温度の温度を判定するためのものである。タイマ９ｄは時間を測定し時間に基づく信号を制御手段９ａに送るためのものである。
【００３１】
次に、再び図１を参照して、本実施の形態における熱源機の基本動作について説明する。本実施の形態の熱源機の基本動作は、公知のそれと同様である。つまり、本実施の形態の熱源機の給湯運転においては、カラン等が操作されて、出湯要求があれば、バーナ２で生成された燃焼ガスで一次熱交換器４および二次熱交換器５が加熱される。これにより、一次熱交換器４および二次熱交換器５の各々の伝熱管を流通する水が加熱され、所望の温度の湯がカラン等から出湯される。
【００３２】
次に、図１〜図３を参照して、本実施の形態における熱源機でのドレンの凍結防止動作について説明する。
【００３３】
温度検知部７によって検知された筺体１内の雰囲気温度が所定温度以下か否かが温度判定手段９ｃにより判別される（ステップＳ１０）。この所定温度は、ドレン凍結のおそれのある温度を考慮して、たとえば２℃に設定することができる。温度検知部７によって検知された筺体１内の雰囲気温度が所定温度よりも高い場合には、再び筺体１内の雰囲気温度が所定温度以下か否かが温度判定手段９ｃにより判別される。
【００３４】
一方、筺体１内の雰囲気温度が所定温度以下の場合には、ドレンが有るか否かが制御部９によって判別される（ステップＳ２０）。このドレンの有無は、たとえば、バーナ２の燃焼状態の有無が燃焼判定手段９ｂにより判定されることで判別される。バーナ２が燃焼状態が否かは、たとえばバーナ２のフレームロッド２ａを流れる電流によって判別することができる。そして、バーナ２が燃焼状態であれば、バーナ２の燃焼によってドレンが発生するため、ドレンが有ると制御手段９ａにより判別される。ここでドレンが無いと制御手段９ａにより判別された場合には、再び筺体１内の雰囲気温度が所定温度以下か否かが温度判定手段９ｃにより判別される。
【００３５】
一方、ドレンが有ると制御手段９ａにより判別されるとドレン経路加熱部８がＯＮ状態とされる（ステップＳ３０）。つまり、制御手段９ａによりドレン経路加熱部８が作動状態とされる。これにより、ドレン経路６がドレン経路加熱部８により加熱される。
【００３６】
また、本実施の形態における熱源機のドレン経路６の凍結防止動作においては、ドレンの有無はバーナ２の燃焼状態に加えてバーナ２の燃焼終了から所定時間が経過したか否かで判別されてもよい。図１および図４を参照して、この本実施の形態の変形例１の熱源機では、温度検知部７によって検知された筺体１内の雰囲気温度が所定温度以下の場合には、バーナ２が燃焼中か否かが燃焼判定手段９ｂにより判定される（ステップＳ４０）。バーナ２が燃焼中で有る場合には、ドレンが有るとして、ドレン経路加熱部８がＯＮ状態とされる（ステップＳ３０）。
【００３７】
一方、バーナ２が燃焼中で無い場合には、バーナ２の燃焼終了後、所定時間内か否かがタイマ９ｄによって判別される（ステップＳ５０）。この所定時間はたとえば３０分間にすることができる。所定時間内でない場合には再び雰囲気温度が所定温度以下か否かが温度判定手段９ｃにより判別される。一方、所定時間内で有る場合には、バーナ２の燃焼が終了してもバーナ２の余熱によってドレンが発生しているとして、ドレン経路加熱部８がＯＮ状態とされる（ステップＳ３０）。バーナ２の燃焼終了後、暫くの間はバーナ２の余熱によってドレンが発生するため、ドレンが発生する時間を所定時間に設定することでさらにドレンの凍結を防止できる。また、バーナ２の燃焼終了後、ドレンが多く発生する時間を所定時間に設定することでドレンの凍結を効果的に防止できる。
【００３８】
また、バーナ２の燃焼時の燃焼ガスの燃焼量、バーナ２の燃焼時間に基づいて、ドレン経路加熱部８の加熱時間を可変にすることもできる。さらに、温度検知部７の検知温度に基づいてドレン経路加熱部８の加熱時間を可変にすることもできる。
【００３９】
なお、変形例１のこれ以外の構成については本実施の形態と同様であるため同一の構成には同一の符号を付し説明を繰り返さない。このことは以下の変形例２〜４についても同様である。
【００４０】
続いて、図１および図５を参照して、本実施の形態における熱源機での湯水の凍結防止動作について説明する。温度検知部７によって検知された筺体１内の雰囲気温度が所定温度以下か否かが温度判定手段９ｃにより判別される（ステップＳ６０）。この所定温度は、湯水が凍結するおそれのある温度を考慮して、たとえば２℃に設定することができる。温度検知部７によって検知された筺体１内の雰囲気温度が所定温度よりも高い場合には、再び筺体１内の雰囲気温度が所定温度以下か否かが温度判定手段９ｃにより判別される。
【００４１】
一方、筺体１内の雰囲気温度が所定温度以下の場合には、ヒータ１１がＯＮ状態とされる（ステップＳ７０）。つまり、制御手段９ａによりヒータ１１が作動状態とされる。これにより、給湯経路１０がヒータ１１により加熱される。このように、給湯経路１０は、バーナ２の燃料状態にかかわらず、筺体１内の雰囲気温度が所定温度以下であるか否かによってヒータ１１により加熱される。給湯経路１０には常に湯水が存在するため、給湯経路１０は、バーナ２の燃料状態にかかわらず、筺体１内の雰囲気温度が所定温度以下であるか否かによってヒータ１１により加熱されることが好ましい。
【００４２】
また、本実施の形態における熱源機のドレン経路６の凍結防止動作においては、ドレンの有無は水量センサ１２によって判別されてもよい。図６および図７を参照して、本実施の形態の変形例２の熱源機は、水量センサ１２を有している。また、制御部９は水量判定手段９ｅを有している。水量センサ１２はドレン経路６に接続されており、ドレンの水量を検知可能に構成されている。そして、水量センサ１２によってドレンの水量が検知されたか否かが水量判定手段９ｅにより判別される。ここで水量判定手段９ｅがドレンの水量があると判定した場合には、ドレンが有るとして、ドレン経路加熱部８がＯＮ状態とされる。この場合には、水量センサ１２によって、直接的にドレンの有無を判別することができる。
【００４３】
また、本実施の形態における熱源機のドレン経路６の凍結防止動作においては、ドレンの有無は水流センサ１３によって判別されてもよい。図８および図９を参照して、本実施の形態の変形例３の熱源機は、水流センサ１３を有している。また、制御部９は水流判定手段９ｆを有している。水流センサ１３はドレン経路６に接続されており、ドレンの水流を検知可能に構成されている。そして、水流センサ１３によってドレンの水流が検知されたか否かが水流判定手段９ｆにより判別される。ここで水流判定手段９ｆがドレンの水流があると判定した場合には、ドレンが有るとして、ドレン経路加熱部８がＯＮ状態とされる。この場合には、水流センサ１３によって、直接的にドレンの有無を判別することができる。
【００４４】
また、本実施の形態における熱源機のドレン経路６の凍結防止動作においては、ドレンの有無は中和器６ｃの水位を検知するための電極によって判別されてもよい。図１０および図１１を参照して、本実施の形態の変形例４の熱源機は、水位検知部１４を有している。また、制御部９は水位検知手段９ｇを有している。水位検知部１４は中和器６ｃ内におけるドレンの水位を検知するためのものである。水位検知部１４は中和器６ｃ内におけるドレンの水位が少なくとも高位および低位のいずれかにあることを検知可能に構成されている。水位検知部１４は中和器６ｃ内の低水位を検知するための電極Ｌと、高水位を検知するための電極Ｈとを有している。
【００４５】
電極Ｌが水位を検知したことが水位検知手段９ｇにより判別された後、暫くの間はドレン経路６にドレンが残存している。このため、ドレン経路６にドレンが残存する時間を所定時間に設定し、この所定時間内はドレンが有るとして、ドレン経路加熱部８がＯＮ状態とされる。ここで所定時間はたとえば３０分以内に設定することができる。この場合も電極Ｌによってドレンの有無を判別することができる。
【００４６】
次に、本実施の形態における熱源機の作用効果について説明する。
本実施の形態の熱源機によれば、温度検知部７が所定温度以下の温度を検知したときであって、バーナ２が燃焼ガスを供給しているときに、制御部９がドレン経路６内にドレンが有ると判定した場合のみ、ドレン経路加熱部８がドレン経路６を加熱するように構成されている。このため、ドレンが凍結するおそれのある所定温度以下の温度において、バーナ２の燃料時にドレンが生じている場合にのみ、ドレン経路加熱部８がドレン経路６を加熱することができる。これにより、ドレンの凍結を防止することができるとともに、ドレンが生じていない場合にはドレン経路加熱部８でドレン経路６を加熱しないようにしてドレン経路加熱部８の消費電力を低減することで熱源機の消費電力を低減することができる。
【００４７】
本実施の形態の熱源機において、制御部９はバーナ２の燃焼状態の有無によってドレン経路６内のドレンの有無を判定するように構成されている。バーナ２の燃焼時にドレンが生じるため、バーナ２の燃焼状態の有無によってドレン経路６内のドレンの有無を判定することができる。したがって、ドレンの有無を判定するためのセンサ等を作動させる必要がないため、当該センサ等を作動させる場合に比べて熱源機の消費電力を低減することができる。
【００４８】
本実施の形態の熱源機において、ドレン経路加熱部８は、二次熱交換器５に対して中和器６ｃよりもドレン経路６の下流側に配置されている。ドレンは、一次熱交換器４、二次熱交換器５およびバーナ２などから離れたドレン経路６の下流側で凍結しやすく、ドレン排出口６ｅ付近で特に凍結しやすい。このため、ドレン経路加熱部８が二次熱交換器５に対して中和器６ｃよりもドレン経路６の下流側に配置されていることで、ドレン経路６の凍結を効果的に防止できる。
【００４９】
本実施の形態の熱源機は、温度検知部７が所定温度以下の温度を検知したときに、ヒータ１１が給湯経路１０を加熱するように構成されている。熱源機の給湯経路１０には常時水が存在しているため、この水が凍結するおそれのある所定温度以下において常に給湯経路を加熱することが好ましい。この熱源機では、温度検知部７が所定温度以下の温度を検知したときに、ヒータ１１が給湯経路１０を加熱することで給湯経路１０内の水の凍結を防止することができる。本実施の形態の熱源機では、ドレン経路６とともに給湯経路１０の凍結を防止することができるとともに、上記のとおりドレン経路加熱部８の消費電力を低減することで熱源機の消費電力を低減することができるため、ヒータ１１が給湯経路１０を加熱しても熱源機全体の消費電力を低減することもできる。
【００５０】
なお、上記では温度検知部７は筺体１内の雰囲気温度を検知するように構成されているが、筺体１外の雰囲気温度を検知するように構成されていてもよい。この場合、温度検知部７は筺体１の外面に設置されてもよい。これによっても、ドレン経路６内のドレンが凍結するおそれの所定温度を検知することができる。
【００５１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５２】
１  筺体、１ａ  底面、１ｂ  上面、１ｃ  側面、２  バーナ、２ａ  フレームロッド、３  送風装置、４  一次熱交換器、５  二次熱交換器、６  ドレン経路、６ａ  ドレン受け、６ｂ  第１のドレン配管、６ｃ  中和器、６ｄ  第２のドレン配管、６ｅ  ドレン排出口、７  温度検知部、８  ドレン経路加熱部、９  制御部、９ａ  制御手段、９ｂ  燃焼判定手段、９ｃ  温度判定手段、９ｄ  タイマ、９ｅ  水量判定手段、９ｆ  水流判定手段、９ｇ  水位検知手段、１０  給湯経路、１０ａ  給水配管、１０ｂ  給湯配管、１０ｃ  入水口、１０ｄ  出湯口、１１  ヒータ、１２  水量センサ、１３  水流センサ、１４  水位検知部。
【図１】
2015129601.tif 000003
【図２】
2015129601.tif 000004
【図３】
2015129601.tif 000005
【図４】
2015129601.tif 000006
【図５】
2015129601.tif 000007
【図６】
2015129601.tif 000008
【図７】
2015129601.tif 000009
【図８】
2015129601.tif 000010
【図９】
2015129601.tif 000011
【図１０】
2015129601.tif 000012
【図１１】
2015129601.tif 000013